(57)【要約】      （修正有）【課題】全体を軽量にし、簡易に複数本の光ドロップケーブルを一個の引留具で引き留めることができる多条光ケーブル引留具を提供すること。【解決手段】光ケーブル４と吊線５とからなる屋外線の吊線５の端部側を巻き付けるＴ字状に形成した第１巻付部６を引き込み側端部に配置した引留具本体の他端にガイド部８を配置し、中央部分にこの支持線を巻回する第２巻付部７を形成した屋外線の光ケーブル引留具において、前記引留具本体を２〜４角面柱体とし、その各平面上に前記第１巻付部６、前記第２巻付部６及び前記ガイド部８を突出して併設した構成である。【選択図】図２
0003120667.tif 000002
【実用新案登録請求の範囲】
【請求項１】
光ケーブルと吊線とからなる屋外線の吊線の端部側を巻き付けるＴ字状に形成した第１巻付部を引き込み側端部に配置した引留具本体の他端にガイド部を配置し、中央部分にこの吊線を巻回する第２巻付部を形成した屋外線の光ケーブル引留具において、
前記引留具本体を２〜４角面柱体とし、その各平面上に前記第１巻付部、前記第２巻付部及び前記ガイド部を突出して併設したことを特徴とする多条光ケーブル引留具。
【請求項２】
前記第１巻付部、前記第２巻付部及び前記ガイド部の夫々が引留具本体と合成樹脂によって一体成型によって形成されていることを特徴とする多条光ケーブル引留具。
【考案の詳細な説明】
【技術分野】
【０００１】
本考案は、電柱などより電話線、光ケーブルの引込線を引き留める光ドロップケーブルの家屋に接続する多条光ケーブル引留具に関する。
【背景技術】
【０００２】
一般的に電話線、光ケーブルなどを家屋に引き込むに際して、電話線などを支持する吊線と共に引き込むために家屋の屋外壁に引留具が設置されている。この引留具としては屋外壁に設けた掛け止具に引っ掛ける掛止リングを端部に備えた矩形状のものが使用されている。この引留具は掛止リングを備える引留具本体の片側表面に吊線の末端を巻付け支持するため、この引留具本体の上端にＴ字状の巻き付部、その中央に巻回巻付け部および下端にガイド部を突設して形成されている。例えば、特許文献１が知られている。
【０００３】
従来は各家庭において、一本の電話線で充分であり、多くて２本ぐらいであるために一本の電話線等ごとに引留具が設置されていた。しかし昨今は光ケーブルなど複数本が各家庭に配線されることが多くなっており、多数の引留具を使用することは屋外壁に過大な負担がかかり好ましいものではなかった。
そのため、屋外壁に設置した一個の掛止リングに引っ掛けた既設の引留具に重ねて使用できる引留具が特許第３６５６７５１号公報（特許文献２）として提案されている。
【０００４】
【特許文献１】実公平３９−４７４０１号公報図３
【特許文献２】特許第３６５６７５１号公報図２
【考案の開示】
【考案が解決しようとする課題】
【０００５】
特許文献２に記載される引留具は、特許文献１の引留具本体の裏面に同一引留具本体を重ねて嵌合できる構成を備える引留具であるが、同一引留具を重ねて結合するために全体が大きくなり、嵩張るものとなって屋外壁の掛止具に対する負担が大きなものとなった。
【０００６】
本考案は上記問題点を解決するもので、簡易な構成からなり、全体をコンパクトに形成する複数本の引込み線を引き留めることができる光ケーブル引留具を提供するものである。
本考案の課題は、全体を軽量にし、簡易に複数本の光ドロップケーブルを一個の引留具で引き留めることができる多条光ケーブル引留具を提供することである。
【課題を解決するための手段】
【０００７】
本考案の前記課題は、光ケーブルと吊線とからなる屋外線の吊線の端部側を巻き付けるＴ字状に形成した第１巻付部を引き込み側端部に配置した引留具本体の他端にガイド部を配置し、中央部分にこの支持線を巻回する第２巻付部を形成した屋外線の光ケーブル引留具において、前記引留具本体を２〜４角面柱体とし、その各平面上に前記第１巻付部、前記第２巻付部及び前記ガイド部を突出して併設したことを特徴とする多条光ケーブル引留具の構成によって達成できる。
【０００８】
本考案の前記課題は、引留具本体に突設する吊線を巻き付ける第１巻付部、第２巻付部及びガイド部の夫々が引留具本体と合成樹脂によって一体成型によって形成されている多条光ケーブル引留具によって達成できる。
【０００９】
本考案の多条光ケーブル引留具は、軽量の合成樹脂によって成型され、紫外線に対して耐久性に優れるポリエチレン系樹脂などによって製造されている。この樹脂はこれに限定されることなく、難燃性の樹脂であることが好ましい。
また、この角柱体の各面に突設した柱と鍔とからなる巻き付け部の柱に巻きつけられる光ケーブルの設置年月日や種類の識別記号を引留具本体に印刷またはラベルを貼付すると後日の管理に便利である。
【考案の効果】
【００１０】
本考案の多条光ケーブル引留具は，一個の引留具に複数の光ケーブルの吊線（支持線）を巻きつけられるから、従来のように家屋の屋外壁に光ケーブル毎の複数本の引留具を引っ掛けて設置することがないから外壁に負担をかけ、損傷することがない。特に、強風によって個々の光ケーブルの絡みを防止することができる。
【考案を実施するための最良の形態】
【００１１】
以下，本考案に係わる多条光ケーブル引留具の一実施の形態について図面を参照して詳細に説明する。
図１は本考案に係る多条光ケーブル引留具の１実施形態の斜視図である。図２は図１の正面図である。図３は本考案多条光ケーブル引留具の他の実施形態の正面図である。図４は本考案の多条光ケーブル引留具の第３の実施形態の側面図である。図５は図４の断面図である。図６は本考案の多条光ケーブル引留具の第４の実施形態の断面図である。
【００１２】
図１に示す本考案の多条光ケーブル引留具の第一実施形態を示す斜視図において，１は家屋の屋外壁に設置した掛止具２に引っ掛ける掛止リング３を一端に固定した引留具本体である。この引留具本体１の表裏両面に光ケーブル４の吊線（支持線）５を巻付け固定する第１巻付け部６，６´、第２巻付け部７，７´及びガイド部８，８´を突出して設け、これら巻き付け部６,７及びガイド部８は吊線５を巻き付ける柱と吊線５の抜けを防止する鍔とから形成されている。第１巻付け部６は柱の上端の鍔に吊線５の末端を巻回し、はね止めして固着するＴ字状の首部６ａを形成してある。第２巻付け部７は柱上端に円板状の鍔を形成してあり、ガイド部８は吊線５が光ケーブル９から分離された状態で引留具本体１に装着し易いように形成したガイドで、柱に巻きつけてもよい。
【００１３】
本考案の多条光ケーブル引留具について、使用態様を説明する。
屋外線の光ケーブル４の吊線５を光ケーブル４から分離し、この吊線５の末端を引留具本体１のガイド部８から第２巻付け部７の柱に巻き付ける共にこの吊線５の先端を第１巻き付け部６の柱に巻き、Ｔ字状の首６ａに巻き付けてはね止め固定する。これによって光ケーブル４を安定して家屋に引き込むことができる。
【００１４】
追加の光ケーブル４があるときは、その吊線５を引留具本体１のガイド部８´を経て、第２巻き付け部７´に巻回し、第１巻付け部６´に固着して吊線５を固定し、光ケーブル４を配線することができる。このようにして、一個の引留具によって複数の光ケーブルを引き込むことができる。
【００１５】
本考案の図１は二面体の実施形態について説明してあるが、図４、図５に示される三面体、四面体においても同様に各面の突設した巻付け部にそれぞれの吊線５を巻き付けて光ケーブルなどを引き込むことができる。
【図面の簡単な説明】
【００１６】
【図１】本考案に係る多条光ケーブル引留具の１実施形態の斜視図である。
【図２】図１の正面図である。
【図３】本考案の多条光ケーブル引留具の他の実施形態の正面図である。
【図４】本考案の多条光ケーブル引留具の第３の実施形態の側面図である。
【図５】図４の断面図である。
【図６】本考案の多条光ケーブル引留具の第４の実施形態の断面図である。
【符号の説明】
【００１７】
１      引留具本体
２      引掛具
３      掛止リング
４      光ケーブル 
５      吊線
６      第１巻付部
７      第２巻付部
８      ガイド部
【図１】
0003120667.tif 000003
【図２】
0003120667.tif 000004
【図３】
0003120667.tif 000005
【図４】
0003120667.tif 000006
【図５】
0003120667.tif 000007
【図６】
0003120667.tif 000008
【手続補正書】
【提出日】平成18年2月8日(2006.2.8)
【手続補正１】
【補正対象書類名】実用新案登録請求の範囲
【補正対象項目名】全文
【補正方法】変更
【補正の内容】
【実用新案登録請求の範囲】
【請求項１】
光ケーブルと吊線とからなる屋外線の吊線の端部側を巻き付けるＴ字状に形成した第１巻付部を引き込み側端部に配置した引留具本体の他端にガイド部を配置し、中央部分にこの吊線を巻回する第２巻付部を形成した屋外線の光ケーブル引留具において、
前記引留具本体を２〜４角面柱体とし、その各平面上に前記第１巻付部、前記第２巻付部及び前記ガイド部を突出して併設したことを特徴とする多条光ケーブル引留具。
【請求項２】
光ケーブルと吊線とからなる屋外線の吊線の端部側を巻き付けるＴ字状に形成した第１巻付部を引き込み側端部に配置した引留具本体の他端にガイド部を配置し、中央部分にこの吊線を巻回する第２巻付部を形成した屋外線の光ケーブル引留具において、
前記引留具本体を２〜４角面柱体とし、その各平面上に前記第１巻付部、前記第２巻付部及び前記ガイド部を突出して併設し、前記第１巻付部、前記第２巻付部及び前記ガイド部の夫々が引留具本体と合成樹脂によって一体成型に形成されていることを特徴とする条光ケーブル引留具。